(57)【要約】【課題】  一対のケース１、２がヒンジ機構３を介して互いに開閉可能に連結されている携帯型電子機器において、電子部品どうしを接続するフレキシブルリードシートがアンテナとして機能する事態を回避する。【解決手段】  本発明に係る携帯型電子機器においては、一方のケース１に配備した電子部品と他方のケース２に配備した電子部品とがフレキシブルリードシート51を介して互いに接続され、該フレキシブルリードシート51は、ヒンジ機構３の枢軸を中心として渦巻き状に巻回され、その両端部が両ケース１、２内の電子部品に向かって伸びている。フレキシブルリードシート51は、前記巻回状態で互いに重なる２つのシート領域51a、51bを有し、該２つのシート領域51a、51bの間にスペーサシート６が介在している。【選択図】      図５
2006050417.tif 000002
【特許請求の範囲】
【請求項１】
一対のケース(１)(２)がヒンジ機構(３)を介して互いに開閉可能に連結され、一方のケース(１)に配備した電子部品と他方のケース(２)に配備した電子部品とが帯状のフレキシブルリードシート(51)を介して互いに接続され、該フレキシブルリードシート(51)は、ヒンジ機構(３)の枢軸を中心として渦巻き状に巻回され、その両端部が前記両ケース(１)(２)内の電子部品に向かって伸びている携帯型電子機器において、前記フレキシブルリードシート(51)は、前記枢軸を中心とする巻回状態で互いに重なる２つのシート領域(51a)(51b)を有し、該２つのシート領域(51a)(51b)の間の少なくとも一部にスペーサシート(６)が介在していることを特徴とする携帯型電子機器。
【請求項２】
前記スペーサシート(６)は可撓性を有する非導電性材料から形成され、フレキシブルリードシート(51)の幅と同一若しくは該同一の幅を有している請求項１に記載の携帯型電子機器。
【請求項３】
一対のケース(１)(２)がヒンジ機構(３)を介して互いに開閉可能に連結され、一方のケース(１)に配備した電子部品と他方のケース(２)に配備した電子部品とが帯状のフレキシブルリードシート(51)を介して互いに接続され、該フレキシブルリードシート(51)は、ヒンジ機構(３)の枢軸を中心として渦巻き状に巻回され、その両端部が前記両ケース(１)(２)内の電子部品に向かって伸びている携帯型電子機器において、前記フレキシブルリードシート(51)は、配線パターンが埋設されたリードシート部(57)の少なくとも片側にシールドシート部(58)を配置して構成され、該フレキシブルリードシート(51)の長手方向の途中位置には、シールドシート部(58)を所定長さに亘って欠落させたシールド欠落部(59)が形成されていることを特徴とする携帯型電子機器。
【請求項４】
前記フレキシブルリードシート(51)は、第１ヒンジ機構(３)の枢軸と同軸上に配備された軸部材(31)の外周面に沿って巻回されている請求項１乃至請求項３の何れかに記載の携帯型電子機器。
【発明の詳細な説明】
【技術分野】
【０００１】
本発明は、一対のケースがヒンジ機構を介して互いに開閉可能に連結されて、一方のケースに配備した電子部品と他方のケースに配備した電子部品とがフレキシブルリードシートを介して互いに接続されている携帯型電子機器に関するものである。
【背景技術】
【０００２】
従来、折り畳み式携帯電話機においては、操作キーを具えた本体ケースと液晶ディスプレイを具えた蓋体ケースとがヒンジ機構を介して互いに開閉可能に連結されており、蓋体ケースの液晶ディスプレイは、フレキシブルリードシートを介して、本体ケース内の回路基板に接続されている。該フレキシブルリードシートは、ヒンジ機構の枢軸を中心として３６０度を超える角度範囲に亘って巻回され、その両端部が両ケース内に向かって伸びている(特許文献１〜４参照)。
【０００３】
該折り畳み式携帯電話機においては、図１１(ａ)(ｂ)に示す如くフレキシブルリードシート(51)が渦巻き状に巻回されて、互いに重なる２つのシート領域(51a)(51b)が形成されており、両ケースの開閉に伴ってフレキシブルリードシート(51)が弾性変形して、２つのシート領域(51a)(51b)の重なり量が拡縮することにより、両ケースの開閉が許容される。
【特許文献１】特開２００４−２１４４４３号公報［H05K9/00］
【特許文献２】特開２００４−２０７４４６号公報［H05K7/14］
【特許文献３】特開２００４−１７９１１０号公報［H01R13/52］
【特許文献４】特開２００４−１７２８９６号公報［H01M1/02］
【発明の開示】
【発明が解決しようとする課題】
【０００４】
しかしながら、液晶ディスプレイと回路基板の接続にフレキシブルリードシートを用いた携帯電話機においては、フレキシブルリードシートがその長さによってはアンテナとして機能することがある。
特に、折り畳み式携帯電話機においては、上述の如くフレキシブルリードシート(51)が巻回されることによって互いに密着して重なる２つの領域(51a)(51b)が形成される場合、両ケースの開閉に伴って該２つの領域(51a)(51b)の重なり量が変化するため、フレキシブルリードシート(51)のアンテナとしての電気長が変化することとなり、例えば両ケースを開いた状態或いは閉じた状態で、フレキシブルリードシート(51)の電気長が携帯電話機で使用している周波数に応じた波長の約４分の１になると、共振が発生して、該フレキシブルリードシートから高周波ノイズが放射されることとなり、該ノイズが回路基板に悪影響を与えて、受信性能の劣化を引き起こす問題がある。
【０００５】
そこで本発明の目的は、電子部品どうしの接続に用いられているフレキシブルリードシートが高性能のアンテナとして機能する事態を回避することが出来る携帯型電子機器を提供することである。
【課題を解決するための手段】
【０００６】
本発明に係る第１の携帯型電子機器においては、一対のケース(１)(２)がヒンジ機構(３)を介して互いに開閉可能に連結され、一方のケース(１)に配備した電子部品と他方のケース(２)に配備した電子部品とが帯状のフレキシブルリードシート(51)を介して互いに接続され、該フレキシブルリードシート(51)は、ヒンジ機構(３)の枢軸を中心として渦巻き状に巻回され、その両端部が前記両ケース(１)(２)内の電子部品に向かって伸びている。
そして、前記フレキシブルリードシート(51)は、前記枢軸を中心とする巻回状態で互いに重なる２つのシート領域(51a)(51b)を有し、該２つのシート領域(51a)(51b)の間の少なくとも一部にスペーサシート(６)が介在している。
具体的には、前記スペーサシート(６)は可撓性を有する非導電性材料から形成され、フレキシブルリードシート(51)の幅と同一若しくは該同一の幅を有している。
【０００７】
上記携帯型電子機器においては、フレキシブルリードシート(51)が巻回されることによって互いに重なる２つのシート領域(51a)(51b)の間にスペーサシート(６)が介在しているので、２つのシート領域(51a)(51b)はスペーサシート(６)の厚さ分だけ互いに離間することとなり、この離間状態は、一対のケースの開閉に拘わらず維持される。この結果、フレキシブルリードシート(51)のアンテナとしての電気長は、スペーサシート(６)を有しない従来機器におけるフレキシブルリードシート(51)の電気長よりも長くなり、且つその長さは一対のケースの開閉角度に拘わらず略一定となる。
【０００８】
従って、スペーサシート(６)を有しない従来機器においてフレキシブルリードシート(51)が性能の高いアンテナとなる電気長を有している場合には、本発明の実施によってそのアンテナ長を変化させることが出来、これによってフレキシブルリードシート(51)のアンテナとしての機能を大幅に低下させ、ノイズの発生を抑制することが出来る。
【０００９】
又、本発明に係る第２の携帯型電子機器においては、一対のケース(１)(２)がヒンジ機構(３)を介して互いに開閉可能に連結され、一方のケース(１)に配備した電子部品と他方のケース(２)に配備した電子部品とが帯状のフレキシブルリードシート(51)を介して互いに接続され、該フレキシブルリードシート(51)は、ヒンジ機構(３)の枢軸を中心として渦巻き状に巻回され、その両端部が前記両ケース(１)(２)内の電子部品に向かって伸びている。
そして、前記フレキシブルリードシート(51)は、配線パターンが埋設されたリードシート部(57)の少なくとも片側にシールドシート部(58)を配置して構成され、該フレキシブルリードシート(51)の長手方向の途中位置には、シールドシート部(58)を所定長さに亘って欠落させたシールド欠落部(59)が形成されている。
【００１０】
上記の如くフレキシブルリードシート(51)がリードシート部(57)の両側にシールドシート部(58)(58)を配置した構成を有する場合、シールドシート部(58)が特にアンテナとしての機能を発揮するが、上記携帯型電子機器においては、フレキシブルリードシート(51)が、シールドシート部(58)を所定長さに亘って欠落させたシールド欠落部(59)を有しているので、該フレキシブルリードシート(51)の電気長は、シールド欠落部(59)を有しない従来機器におけるフレキシブルリードシート(51)の電気長よりも短くなり、且つその長さは一対のケースの開閉に拘わらず略一定となる。
【００１１】
従って、シールド欠落部(59)を有しない従来機器におけるフレキシブルリードシート(51)が性能の高いアンテナとなる電気長を有している場合には、本発明の実施によってそのアンテナ長を変化させることが出来、これによってフレキシブルリードシート(51)のアンテナとしての機能を大幅に低下させ、ノイズの発生を抑制することが出来る。
【発明の効果】
【００１２】
本発明に係る携帯型電子機器によれば、電子部品どうしの接続に用いられているフレキシブルリードシートが高性能のアンテナとして機能する事態を回避することが出来る。
【発明を実施するための最良の形態】
【００１３】
以下、本発明を折り畳み式携帯電話機に実施した形態につき、図面に沿って具体的に説明する。
本発明に係る折り畳み式携帯電話機は、図１及び図２に示す如く、複数の操作キー(11)が配備された本体ケース(１)と、液晶ディスプレイ(21)が配備された蓋体ケース(２)とを具え、本体ケース(１)の上端部と蓋体ケース(２)の下端部との間には、両ケース(１)(２)を開閉させるための水平の枢軸を有する第１ヒンジ機構(３)と、本体ケース(１)に対して蓋体ケース(２)を回転させるための垂直の枢軸を有する第２ヒンジ機構(４)とが配備され、両ヒンジ機構(３)(４)によって本体ケース(１)と蓋体ケース(２)が互いに連結されている。
尚、第１ヒンジ機構(３)及び第２ヒンジ機構(４)はそれぞれカバー(30)(40)によって覆われている。
【００１４】
図３及び図４に示す如く、第１ヒンジ機構(３)は、その枢軸と同軸上に断面円形の軸部材(31)を具え、該軸部材(31)の外周面には、図５の如くフレキシブルリード基板(５)を構成するフレキシブルリードシート(51)が渦巻き状に略１.５〜２周に亘って巻回され、該フレキシブルリードシート(51)の一方の端部が、前記第２ヒンジ機構(４)の内部を通過して、蓋体ケース(２)に配備された前記液晶ディスプレイに接続されると共に、該フレキシブルリードシート(51)の他方の端部が本体ケース(１)内の回路基板(図示省略)に接続されている。
これによって、液晶ディスプレイ(21)が駆動されて、画像表示が行なわれる。
【００１５】
フレキシブルリード基板(５)は、図６及び図７に示す如く、Ｕ字状に屈曲するフレキシブルリードシート(51)の一方の端部にコネクター(53)を有すると共に、他方の端部へ至る途中の位置には、複数の基板部(54)(55)(56)が配備されている。
【００１６】
フレキシブルリードシート(51)は、図９に示す如く、配線パターンが埋設された２層のリードシート部(57)(57)と、該リードシート部(57)(57)の両側に配置されたシールドシート部(58)(58)とからなる積層構造を有し、シールドシート部(58)は、銀シートの表面に絶縁コートを施して構成されている。
【００１７】
図６に示す如く、フレキシブルリードシート(51)の表面には、前述の如く渦巻き状に巻回されるべき領域を覆って、ポロン等の非導電性材料からなるスペーサシート(６)が設置されている。該スペーサシート(６)は、フレキシブルリードシート(51)の幅と同一の幅(約４ｍｍ)を有し、長さが約１５ｍｍ、厚さが約０.４ｍｍに形成されている。
【００１８】
フレキシブルリード基板(５)のフレキシブルリードシート(51)が図５の如く軸部材(31)の外周面に巻回された状態で、スペーサシート(６)は、フレキシブルリードシート(51)の互いに重なる２つのシート領域(51a)(51b)の間に介在して、両シート領域(51a)(51b)を互いに離間させる。
【００１９】
上記折り畳み式携帯電話機においては、図１０(ａ)(ｂ)に示す様に、フレキシブルリードシート(51)が巻回されることによって互いに重なる２つのシート領域(51a)(51b)の間にスペーサシート(６)が介在しているので、２つのシート領域(51a)(51b)はスペーサシート(６)の厚さ分だけ互いに離間することとなり、この離間状態は、一対のケースを閉じたとき(図１０(ａ))と一対のケースを開いたとき(図１０(ｂ))で同様に維持される。この結果、スペーサシート(６)が設置されたフレキシブルリードシート(51)のアンテナとしての電気長は、スペーサシート(６)を有しないフレキシブルリードシート(51)自体の電気長よりも長くなり、且つその長さは一対のケースの開閉角度に拘わらず略一定となる。
従って、フレキシブルリードシート(51)自体が性能の高いアンテナとなる電気長を有していたとしても、スペーサシート(６)の設置によってフレキシブルリードシート(51)のアンテナ長が変化し、この結果、フレキシブルリードシート(51)のアンテナとしての機能は大幅に低下することになる。
【００２０】
又、スペーサシート(６)の設置に代えて、図８に示す如く、フレキシブルリードシート(51)の長手方向の途中位置に、シールドシート部(58)を所定長さに亘って欠落させたシールド欠落部(59)を形成することも可能である。
【００２１】
この様にシールド欠落部(59)を有するフレキシブルリードシート(51)の電気長は、シールド欠落部(59)を有しないフレキシブルリードシート(51)自体の電気長よりも短くなり、且つその長さは一対のケースの開閉角度に拘わらず略一定となる。
従って、フレキシブルリードシート(51)自体が性能の高いアンテナとなる電気長を有していたとしても、シールド欠落部(59)の形成によってアンテナ長が変化し、この結果、フレキシブルリードシート(51)のアンテナとしての機能は大幅に低下することになる。
【００２２】
図１２(ａ)(ｂ)は、図６及び図７に示す如くフレキシブルリードシート(51)にスペーサシート(６)を設置した場合のフレキシブルリード基板(５)の電圧定在波比(ＶＳＷＲ)を表わしている。図１２(ａ)が両ケースを開いた場合であり、図１２(ｂ)が両ケースを閉じた場合である。
又、図１３(ａ)(ｂ)は、図８に示す如くフレキシブルリードシート(51)にシールド欠落部(59)を形成した場合のフレキシブルリード基板(５)の電圧定在波比(ＶＳＷＲ)を表わしている。図１３(ａ)が両ケースを開いた場合であり、図１３(ｂ)が両ケースを閉じた場合である。
更に、図１４(ａ)(ｂ)は、フレキシブルリードシート(51)にスペーサシート(６)やシールド欠落部(59)を有しないフレキシブルリード基板の電圧定在波比(ＶＳＷＲ)を表わしている。図１４(ａ)が両ケースを開いた場合であり、図１４(ｂ)が両ケースを閉じた場合である。
【００２３】
図１４(ａ)(ｂ)の如く、送受信帯域の８３２ＭＨｚ〜９２４ＭＨｚにおいてＶＳＷＲが１〜４の低い値となっており、フレキシブルリードシート(51)がアンテナとして共振していることが分かる。この場合、フレキシブルリードシート(51)からノイズが放射されて、携帯電話機の受信性能が低下することになる。
【００２４】
これに対し、図１２(ａ)(ｂ)の如く、フレキシブルリードシート(51)にスペーサシート(６)を設置した場合には、送受信帯域の８３２ＭＨｚ〜９２４ＭＨｚにおいてＶＳＷＲが４を超える高い値となっており、フレキシブルリードシート(51)からのノイズ放射が抑制されていることが明らかである。
又、図１３(ａ)(ｂ)の如く、フレキシブルリードシート(51)にシールド欠落部(59)を形成した設置した場合にも、送受信帯域の８３２ＭＨｚ〜９２４ＭＨｚにおいてＶＳＷＲが４以上の高い値となっており、フレキシブルリードシート(51)からのノイズ放射が抑制されていることが明らかである。
【００２５】
従って、本発明に係る折り畳み式携帯電話機によれば、フレキシブルリードシート(51)にスペーサシート(６)を設置し、或いはフレキシブルリードシート(51)にシールド欠落部(59)を形成した簡易な構成によって、受信性能の低下を効果的に防止することが出来る。
【図面の簡単な説明】
【００２６】
【図１】本発明に係る折り畳み式携帯電話機の開いた状態を示す斜視図である。
【図２】該折り畳み式携帯電話機において蓋体ケースを回転させた状態を示す斜視図である。
【図３】ヒンジ機構の内部構造を示す斜視図である。
【図４】図３のＡ部を拡大して示す斜視図である。
【図５】フレキシブルリードシートの巻回状態を示す拡大断面図である。
【図６】スペーサシートが設置されたフレキシブルリード基板の展開平面図である。
【図７】該フレキシブルリード基板の展開裏面図である。
【図８】シールド欠落部が形成されたフレキシブルリード基板の展開裏面図である。
【図９】フレキシブルリードシートの積層構造を示す断面図である。
【図１０】スペーサシートが設置されたフレキシブルリードシートの動作を表わす断面図である。
【図１１】従来におけるフレキシブルリードシートの動作を表わす断面図である。
【図１２】スペーサシートが設置されたフレキシブルリード基板のアンテナ特性を表わすグラフである。
【図１３】シールド欠落部が形成されたフレキシブルリード基板のアンテナ特性を表わすグラフである。
【図１４】従来のフレキシブルリード基板のアンテナ特性を示すグラフである。
【符号の説明】
【００２７】
(１)  本体ケース
(２)  蓋体ケース
(３)  第１ヒンジ機構
(４)  第２ヒンジ機構
(５)  フレキシブルリード基板
(51)  フレキシブルリードシート
(57)  リードシート部
(58)  シールドシート部
(59)  シールド欠落部
(６)  スペーサシート
【図１】
2006050417.tif 000003
【図２】
2006050417.tif 000004
【図３】
2006050417.tif 000005
【図４】
2006050417.tif 000006
【図５】
2006050417.tif 000007
【図６】
2006050417.tif 000008
【図７】
2006050417.tif 000009
【図８】
2006050417.tif 000010
【図９】
2006050417.tif 000011
【図１０】
2006050417.tif 000012
【図１１】
2006050417.tif 000013
【図１２】
2006050417.tif 000014
【図１３】
2006050417.tif 000015
【図１４】
2006050417.tif 000016